(57)【要約】【課題】ユーザが周囲の環境によらず大画面相当の画像を見ることができ、操作性にも優れた撮像装置、表示装置および撮像システムを提供する。【解決手段】表示部上で外部からの接触による操作を行うことが可能な撮像装置１を操作する際に、人物の頭部に装着可能であり、装着した人物の目の近傍で画像を表示する表示装置（ＦＭＤ２）が操作用のボタン画像を表示するとともに、撮像装置１の表示部１３に接触している物体の接触位置も重ねて表示する。【選択図】図１
2010263324.tif 000002
【特許請求の範囲】
【請求項１】
被写体を撮像してデジタルの画像データを生成する撮像部と、
前記撮像部が生成した画像データに対応する画像を表示する表示部と、
前記表示部における物体の接触に基づいて操作信号の入力を受け付ける入力部と、
前記表示部における物体の接触位置を検出する接触位置検出部と、
前記接触位置検出部が検出した物体の接触位置に応じて入力される操作信号を判定する操作判定部と、
人物の頭部に装着可能であり、装着した人物の目の近傍で画像を表示する表示装置に対し、前記画像データ、前記接触位置検出部が検出した物体の接触位置および前記表示装置で表示すべき操作ボタンを指示するボタン表示指示信号を送信する一方、前記表示装置から該表示装置における表示状態を示す表示状態信号を受信する撮像側通信部と、
前記操作判定部が判定した操作信号と前記撮像側通信部が前記表示装置から受信した表示状態信号とを照合する照合部と、
を備え、
前記照合部が照合した結果、前記操作信号と前記表示状態信号とが正常に対応している場合、前記操作信号に応じた処理を行うことを特徴とする撮像装置。
【請求項２】
被写体を撮像してデジタルの画像データを生成する撮像部と、
前記撮像部が生成した画像データに対応する画像を表示する表示部と、
前記表示部における物体の接触に基づいて操作信号の入力を受け付ける入力部と、
前記表示部における物体の接触位置を検出する接触位置検出部と、
前記接触位置検出部が検出した物体の接触位置に応じて入力される操作信号を判定する操作判定部と、
人物の頭部に装着可能であり、装着した人物の目の近傍で画像を表示する表示装置に対し、前記画像データ、前記接触位置検出部が検出した物体の接触位置、前記操作判定部が判定した操作信号に対応する操作内容情報および前記表示装置で表示すべき操作ボタンを指示するボタン表示指示信号を送信する一方、前記表示装置から前記操作内容情報と前記表示装置における表示状態との照合結果を受信する撮像側通信部と、
を備え、
前記表示装置から前記操作内容情報と前記表示装置における表示状態とが正常に対応していることを示す照合結果を受信した場合、前記操作信号に応じた処理を行うことを特徴とする撮像装置。
【請求項３】
前記表示部は、
液晶および複数の画素を積層してなる液晶部と、
前記液晶部に光を照射するバックライトと、
前記液晶部の内部に設けられ、前記バックライトによる照射光の前記表示部の外部からの反射光をそれぞれ検出する複数の光センサと、
を有し、
前記接触位置検出部は、
前記光センサが出力するセンサ信号に基づいて前記表示部における前記物体の接触位置を検出することを特徴とする請求項１または２に記載の撮像装置。
【請求項４】
画像データを記憶する記憶部を備え、
前記記憶部が記憶する画像データに対応する画像を再生する場合、
前記表示部は、
複数の画像を並べたサムネイル表示を行い、
前記撮像側通信部は、
前記接触位置検出部が物体の接触を検出した位置で表示している画像の画像データを送信することを特徴とする請求項１〜３のいずれか一項に記載の撮像装置。
【請求項５】
前記操作判定部は、
前記表示部が前記サムネイル表示を行っている最中に前記接触位置検出部が検出した接触位置の押圧力を判定し、この判定した押圧力に応じて、前記表示装置が表示すべき画像の大きさに関する情報を前記画像データに付加することを特徴とする請求項４に記載の撮像装置。
【請求項６】
水平方向および鉛直方向のうち当該撮像装置の底面と略平行な方向を判定する縦横判定部を備え、
前記撮像側通信部は、
前記物体の接触位置および前記ボタン表示指示信号とともに前記縦横判定部の判定結果を前記表示装置へ送信することを特徴とする請求項１〜５のいずれか一項に記載の撮像装置。
【請求項７】
人物の頭部に装着可能であり、装着した人物の目の近傍で画像を表示する表示装置であって、
画像を表示する画像表示部と、
前記画像表示部でスーパーインポーズする操作ボタンのボタン画像を記憶するボタン画像記憶部と、
被写体を撮像してデジタルの画像データを生成する撮像部と、前記撮像部が撮像した画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、を備えた撮像装置から、前記画像データ、前記接触位置検出部が検出した物体の接触位置および前記表示装置で表示すべきボタンを指示するボタン表示指示信号を受信する一方、前記画像表示部における表示状態を示す表示状態信号を前記撮像装置へ送信する表示側通信部と、
を備え、
前記画像表示部は、
前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示することを特徴とする表示装置。
【請求項８】
人物の頭部に装着可能であり、装着した人物の目の近傍で画像を表示する表示装置であって、
画像を表示する画像表示部と、
前記画像表示部でスーパーインポーズする操作ボタンのボタン画像を記憶するボタン画像記憶部と、
被写体を撮像してデジタルの画像データを生成する撮像部と、前記撮像部が撮像した画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、を備えた撮像装置から、前記画像データ、前記接触位置検出部が検出した物体の接触位置、前記操作判定部が判定した操作信号に対応する操作内容情報および前記表示装置で表示すべきボタンを指示するボタン表示指示信号を受信する表示側通信部と、
前記表示側通信部が受信した操作内容情報と前記表示部における表示内容とを照合する照合部と、
を備え、
前記画像表示部は、
前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示し、
前記表示側通信部は、
前記照合部における照合結果を前記撮像装置へ送信することを特徴とする表示装置。
【請求項９】
前記表示側通信部は、
２つの前記撮像装置と通信可能であり、
前記画像表示部は、
各撮像装置から受信した画像データに対応する画像を並べて表示することを特徴とする請求項８に記載の表示装置。
【請求項１０】
前記２つの撮像装置は連携して撮影することが可能であり、
前記２つの撮像装置からそれぞれ受信した２つの画像データを比較することによって前記２つの撮像装置による３Ｄ撮影が可能な状態にあるか否かを判定する３Ｄ判定部を備えたことを特徴とする請求項９に記載の表示装置。
【請求項１１】
被写体を撮像する撮像装置と、人物の頭部に装着可能であるとともに前記撮像装置と情報の送受信が可能であり、装着した人物の目の近傍で画像を表示する表示装置とを備えた撮像システムであって、
前記撮像装置は、
被写体を撮像してデジタルの画像データを生成する撮像部と、
前記撮像部が生成した画像データに対応する画像を表示する表示部と、
前記表示部における物体の接触に基づいて操作信号の入力を受け付ける入力部と、
前記表示部における物体の接触位置を検出する接触位置検出部と、
前記接触位置検出部が検出した物体の接触位置に応じて入力される操作信号を判定する操作判定部と、
前記画像データ、前記接触位置検出部が検出した物体の接触位置および前記表示装置で表示すべき操作ボタンを指示するボタン表示指示信号を前記表示装置へ送信する一方、前記表示装置から該表示装置における表示状態を示す表示状態信号を受信する撮像側通信部と、
前記操作判定部が判定した操作信号と前記撮像側通信部が前記表示装置から受信した表示状態信号とを照合する照合部と、
を備え、
前記照合部が照合した結果、前記操作信号と前記表示状態信号とが正常に対応している場合、前記操作信号に応じた処理を行い、
前記表示装置は、
画像を表示する画像表示部と、
前記画像表示部でスーパーインポーズする操作ボタンのボタン画像を記憶するボタン画像記憶部と、
前記画像データ、前記接触位置検出部が検出した物体の接触位置および前記表示装置で表示すべきボタンを指示するボタン表示指示信号を前記撮像装置から受信する一方、前記画像表示部における表示状態を示す表示状態信号を前記撮像装置へ送信する表示側通信部と、
を備え、
前記画像表示部は、
前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示することを特徴とする撮像システム。
【請求項１２】
被写体を撮像する撮像装置と、人物の頭部に装着可能であるとともに前記撮像装置と情報の送受信が可能であり、装着した人物の目の近傍で画像を表示する表示装置とを備えた撮像システムであって、
前記撮像装置は、
被写体を撮像してデジタルの画像データを生成する撮像部と、
前記撮像部が生成した画像データに対応する画像を表示する表示部と、
前記表示部における物体の接触に基づいて操作信号の入力を受け付ける入力部と、
前記表示部における物体の接触位置を検出する接触位置検出部と、
前記接触位置検出部が検出した物体の接触位置に応じて入力される操作信号を判定する操作判定部と、
前記画像データ、前記接触位置検出部が検出した物体の接触位置、前記操作判定部が判定した操作信号に対応する操作内容情報および前記表示装置で表示すべき操作ボタンを指示するボタン表示指示信号を前記表示装置へ送信する一方、前記表示装置から前記操作内容情報と前記表示装置における表示状態との照合結果を受信する撮像側通信部と、
を備え、
前記表示装置から前記操作内容情報と前記表示装置における表示状態とが正常に対応していることを示す照合結果を受信した場合、前記操作信号に応じた処理を行い、
前記表示装置は、
画像を表示する画像表示部と、
前記画像表示部でスーパーインポーズする操作ボタンのボタン画像を記憶するボタン画像記憶部と、
前記画像データ、前記接触位置検出部が検出した物体の接触位置、前記操作判定部が判定した操作信号に対応する操作内容情報および前記表示装置で表示すべきボタンを指示するボタン表示指示信号を前記撮像装置から受信する表示側通信部と、
前記表示側通信部が受信した操作内容情報と前記表示部における表示内容とを照合する照合部と、
を備え、
前記画像表示部は、
前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示し、
前記表示側通信部は、
前記照合部における照合結果を前記撮像装置へ送信することを特徴とする撮像システム。
【請求項１３】
前記撮像装置を２つ備え、
前記画像表示部は、
各撮像装置から受信した画像データに対応する画像を並べて表示することを特徴とする請求項１２に記載の撮像システム。
【請求項１４】
前記２つの撮像装置は連携して撮影することが可能であり、
前記表示装置は、
前記受信側通信部が前記２つの撮像装置からそれぞれ受信した２つの画像データを比較することによって前記２つの撮像装置による３Ｄ撮影が可能な状態にあるか否かを判定する３Ｄ判定部を備えたことを特徴とする請求項１３に記載の撮像システム。
【発明の詳細な説明】
【技術分野】
【０００１】
本発明は、被写体を撮像する撮像装置、当該撮像装置が撮影した画像を表示する表示装置および当該撮像装置と当該表示装置とを備えた撮像システムに関する。
【背景技術】
【０００２】
近年、デジタルカメラなどの電子機器では、小型でありながらも高性能を有する機器が普及しつつある。このような状況の下、電子機器に接続して電子機器が記憶する画像を表示することが可能な表示装置として、ユーザの頭部に装着することができ、ユーザの目の近くで画像を表示する表示装置が知られている（例えば、特許文献１および２を参照）。この技術によれば、ユーザは表示装置を装着した時、目の近くに表示画面が配置されるため、周囲が明るくて電子機器の表示部では画像が見にくい環境でも大画面相当の画像を見ることができる。
【０００３】
ここで、上述した従来技術のより具体的な内容を説明する。特許文献１では、光量の多い光学特性可変光学素子を用いた光学装置に関する技術が開示されている。この技術では、表示装置をデジタルカメラやデジタルビデオカメラのファインダーとして適用したり、携帯用のパソコン、携帯電話、ＰＤＡ（Personal Digital Assistants）等のディスプレイとして適用したりすることが想定されている。
【０００４】
また、特許文献２では、頭部装着型の表示装置がケーブルを介してデジタルカメラと接続されたディスプレイシステムに関する技術が開示されている。この技術では、デジタルカメラの画像情報を転送して表示装置で表示することに加え、表示装置に設けられる操作部から操作信号を入力することによってデジタルカメラの操作を行う。
【先行技術文献】
【特許文献】
【０００５】
【特許文献１】特開２００１−２０９０３７号公報
【特許文献２】特開２００８−８５８５４号公報
【発明の概要】
【発明が解決しようとする課題】
【０００６】
しかしながら、上述した２つの従来技術において、表示装置はあくまでも接続された電子機器が表示する内容と同じ内容の表示を行うものであり、実際に電子機器を操作しようとする場合には、実物の電子機器に設けられた操作入力部を使用したり、別に設けられた操作部を操作したりしなければならなかった。このため、表示装置を装着していると視界が遮られ、ユーザにとっては表示装置を装着していることが操作を行う際の障害となってしまっていた。
【０００７】
本発明は、上記に鑑みてなされたものであって、ユーザが周囲の環境によらず大画面相当の画像を見ることができ、操作性にも優れた撮像装置、表示装置および撮像システムを提供することを目的とする。
【課題を解決するための手段】
【０００８】
上述した課題を解決し、目的を達成するために、本発明に係る撮像装置は、被写体を撮像してデジタルの画像データを生成する撮像部と、前記撮像部が生成した画像データに対応する画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、人物の頭部に装着可能であり、装着した人物の目の近傍で画像を表示する表示装置に対し、前記画像データ、前記接触位置検出部が検出した物体の接触位置および前記表示装置で表示すべき操作ボタンを指示するボタン表示指示信号を送信する一方、前記表示装置から該表示装置における表示状態を示す表示状態信号を受信する撮像側通信部と、前記操作判定部が判定した操作信号と前記撮像側通信部が前記表示装置から受信した表示状態信号とを照合する照合部と、を備え、前記照合部が照合した結果、前記操作信号と前記表示状態信号とが正常に対応している場合、前記操作信号に応じた処理を行うことを特徴とする。
【０００９】
また、本発明に係る撮像装置は、被写体を撮像してデジタルの画像データを生成する撮像部と、前記撮像部が生成した画像データに対応する画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、人物の頭部に装着可能であり、装着した人物の目の近傍で画像を表示する表示装置に対し、前記画像データ、前記接触位置検出部が検出した物体の接触位置、前記操作判定部が判定した操作信号に対応する操作内容情報および前記表示装置で表示すべき操作ボタンを指示するボタン表示指示信号を送信する一方、前記表示装置から前記操作内容情報と前記表示装置における表示状態との照合結果を受信する撮像側通信部と、を備え、前記表示装置から前記操作内容情報と前記表示装置における表示状態とが正常に対応していることを示す照合結果を受信した場合、前記操作信号に応じた処理を行うことを特徴とする。
【００１０】
また、本発明に係る撮像装置は、上記発明において、前記表示部は、液晶および複数の画素を積層してなる液晶部と、前記液晶部に光を照射するバックライトと、前記液晶部の内部に設けられ、前記バックライトによる照射光の前記表示部の外部からの反射光をそれぞれ検出する複数の光センサと、を有し、前記接触位置検出部は、前記光センサが出力するセンサ信号に基づいて前記表示部における前記物体の接触位置を検出することを特徴とする。
【００１１】
また、本発明に係る撮像装置は、上記発明において、画像データを記憶する記憶部を備え、前記記憶部が記憶する画像データに対応する画像を再生する場合、前記表示部は、複数の画像を並べたサムネイル表示を行い、前記撮像側通信部は、前記接触位置検出部が物体の接触を検出した位置で表示している画像の画像データを送信することを特徴とする。
【００１２】
また、本発明に係る撮像装置は、上記発明において、前記操作判定部は、前記表示部が前記サムネイル表示を行っている最中に前記接触位置検出部が検出した接触位置の押圧力を判定し、この判定した押圧力に応じて、前記表示装置が表示すべき画像の大きさに関する情報を前記画像データに付加することを特徴とする。
【００１３】
また、本発明に係る撮像装置は、上記発明において、水平方向および鉛直方向のうち当該撮像装置の底面と略平行な方向を判定する縦横判定部を備え、前記撮像側通信部は、前記物体の接触位置および前記ボタン表示指示信号とともに前記縦横判定部の判定結果を前記表示装置へ送信することを特徴とする。
【００１４】
また、本発明に係る表示装置は、人物の頭部に装着可能であり、装着した人物の目の近傍で画像を表示する表示装置であって、画像を表示する画像表示部と、前記画像表示部でスーパーインポーズする操作ボタンのボタン画像を記憶するボタン画像記憶部と、被写体を撮像してデジタルの画像データを生成する撮像部と、前記撮像部が撮像した画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、を備えた撮像装置から、前記画像データ、前記接触位置検出部が検出した物体の接触位置および前記表示装置で表示すべきボタンを指示するボタン表示指示信号を受信する一方、前記画像表示部における表示状態を示す表示状態信号を前記撮像装置へ送信する表示側通信部と、を備え、前記画像表示部は、前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示することを特徴とする。
【００１５】
また、本発明に係る表示装置は、人物の頭部に装着可能であり、装着した人物の目の近傍で画像を表示する表示装置であって、画像を表示する画像表示部と、前記画像表示部でスーパーインポーズする操作ボタンのボタン画像を記憶するボタン画像記憶部と、被写体を撮像してデジタルの画像データを生成する撮像部と、前記撮像部が撮像した画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、を備えた撮像装置から、前記画像データ、前記接触位置検出部が検出した物体の接触位置、前記操作判定部が判定した操作信号に対応する操作内容情報および前記表示装置で表示すべきボタンを指示するボタン表示指示信号を受信する表示側通信部と、前記表示側通信部が受信した操作内容情報と前記表示部における表示内容とを照合する照合部と、を備え、前記画像表示部は、前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示し、前記表示側通信部は、前記照合部における照合結果を前記撮像装置へ送信することを特徴とする。
【００１６】
また、本発明に係る表示装置は、上記発明において、前記表示側通信部は、２つの前記撮像装置と通信可能であり、前記画像表示部は、各撮像装置から受信した画像データに対応する画像を並べて表示することを特徴とする。
【００１７】
また、本発明に係る表示装置は、上記発明において、前記２つの撮像装置は連携して撮影することが可能であり、前記２つの撮像装置からそれぞれ受信した２つの画像データを比較することによって前記２つの撮像装置による３Ｄ撮影が可能な状態にあるか否かを判定する３Ｄ判定部を備えたことを特徴とする。
【００１８】
また、本発明に係る撮像システムは、被写体を撮像する撮像装置と、人物の頭部に装着可能であるとともに前記撮像装置と情報の送受信が可能であり、装着した人物の目の近傍で画像を表示する表示装置とを備えた撮像システムであって、前記撮像装置は、被写体を撮像してデジタルの画像データを生成する撮像部と、前記撮像部が生成した画像データに対応する画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、前記画像データ、前記接触位置検出部が検出した物体の接触位置および前記表示装置で表示すべき操作ボタンを指示するボタン表示指示信号を前記表示装置へ送信する一方、前記表示装置から該表示装置における表示状態を示す表示状態信号を受信する撮像側通信部と、前記操作判定部が判定した操作信号と前記撮像側通信部が前記表示装置から受信した表示状態信号とを照合する照合部と、を備え、前記照合部が照合した結果、前記操作信号と前記表示状態信号とが正常に対応している場合、前記操作信号に応じた処理を行い、前記表示装置は、画像を表示する画像表示部と、前記画像表示部でスーパーインポーズする操作ボタンのボタン画像を記憶するボタン画像記憶部と、前記画像データ、前記接触位置検出部が検出した物体の接触位置および前記表示装置で表示すべきボタンを指示するボタン表示指示信号を前記撮像装置から受信する一方、前記画像表示部における表示状態を示す表示状態信号を前記撮像装置へ送信する表示側通信部と、を備え、前記画像表示部は、前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示することを特徴とする。
【００１９】
また、本発明に係る撮像システムは、被写体を撮像する撮像装置と、人物の頭部に装着可能であるとともに前記撮像装置と情報の送受信が可能であり、装着した人物の目の近傍で画像を表示する表示装置とを備えた撮像システムであって、前記撮像装置は、被写体を撮像してデジタルの画像データを生成する撮像部と、前記撮像部が生成した画像データに対応する画像を表示する表示部と、前記表示部における物体の接触に基づいて操作信号の入力を受け付ける入力部と、前記表示部における物体の接触位置を検出する接触位置検出部と、前記接触位置検出部が検出した物体の接触位置に応じて入力される操作信号を判定する操作判定部と、前記画像データ、前記接触位置検出部が検出した物体の接触位置、前記操作判定部が判定した操作信号に対応する操作内容情報および前記表示装置で表示すべき操作ボタンを指示するボタン表示指示信号を前記表示装置へ送信する一方、前記表示装置から前記操作内容情報と前記表示装置における表示状態との照合結果を受信する撮像側通信部と、を備え、前記表示装置から前記操作内容情報と前記表示装置における表示状態とが正常に対応していることを示す照合結果を受信した場合、前記操作信号に応じた処理を行い、前記表示装置は、画像を表示する画像表示部と、前記画像表示部でスーパーインポーズする操作ボタンのボタン画像を記憶するボタン画像記憶部と、前記画像データ、前記接触位置検出部が検出した物体の接触位置、前記操作判定部が判定した操作信号に対応する操作内容情報および前記表示装置で表示すべきボタンを指示するボタン表示指示信号を前記撮像装置から受信する表示側通信部と、前記表示側通信部が受信した操作内容情報と前記表示部における表示内容とを照合する照合部と、を備え、前記画像表示部は、前記表示側通信部が受信した前記画像データに対応する画像および前記接触位置検出部が検出した物体の接触位置とともに、前記表示側通信部が受信したボタン表示指示信号に基づいて前記ボタン画像記憶部から読み出したボタン画像を表示し、前記表示側通信部は、前記照合部における照合結果を前記撮像装置へ送信することを特徴とする。
【００２０】
また、本発明に係る撮像システムは、上記発明において、前記撮像装置を２つ備え、前記画像表示部は、各撮像装置から受信した画像データに対応する画像を並べて表示することを特徴とする。
【００２１】
また、本発明に係る撮像システムは、上記発明において、前記２つの撮像装置は連携して撮影することが可能であり、前記表示装置は、前記受信側通信部が前記２つの撮像装置からそれぞれ受信した２つの画像データを比較することによって前記２つの撮像装置による３Ｄ撮影が可能な状態にあるか否かを判定する３Ｄ判定部を備えたことを特徴とする。
【発明の効果】
【００２２】
本発明によれば、表示部上で外部からの接触による操作を行うことが可能な撮像装置を操作する際に、人物の頭部に装着可能であり、装着した人物の目の近傍で画像を表示する表示装置が操作用のボタン画像を表示するとともに、撮像装置の表示部に接触している物体の接触位置を重ねて表示するため、ユーザは表示装置を見ながら操作入力を行うことができる。したがって、ユーザは周囲の環境によらず大画面相当の画像を見ることができるだけでなく、優れた操作性も享受することができる。
【図面の簡単な説明】
【００２３】
【図１】図１は、本発明の実施の形態１に係る撮像システムの構成を示すブロック図である。
【図２】図２は、本発明の実施の形態１に係る撮像装置の背面側の構成を示す斜視図である。
【図３】図３は、本発明の実施の形態１に係る撮像装置の表示部の要部の構成を模式的に示す図である。
【図４】図４は、本発明の実施の形態１に係る撮像装置の表示部が有する光センサの作用を模式的に説明する図である。
【図５】図５は、本発明の実施の形態１に係る撮像装置が備える表示部上で行われる操作信号の入力前後の状況を模式的に示す図である。
【図６】図６は、本発明の実施の形態１に係る表示装置の外観構成（シャッターを閉じた状態）を示す斜視図である。
【図７】図７は、本発明の実施の形態１に係る表示装置の内部構成（シャッターを閉じた状態）を示す図である。
【図８】図８は、本発明の実施の形態１に係る表示装置の外観構成（シャッターを開いた状態）を示す斜視図である。
【図９】図９は、本発明の実施の形態１に係る表示装置の内部構成（シャッターを開いた状態）を示す図である。
【図１０】図１０は、本発明の実施の形態１に係る撮像システムを用いてユーザが撮影を行う状況を示す図である。
【図１１】図１１は、本発明の実施の形態１に係る撮像装置をユーザが構えながら親指を表示部に接触させている状態を示す図である。
【図１２】図１２は、本発明の実施の形態１に係る撮像システムにおいて、撮像装置が撮影モードに設定されている場合の表示装置の液晶表示部における画面の表示例（第１例）を示す図である。
【図１３】図１３は、本発明の実施の形態１に係る撮像システムにおいて、撮像装置が撮影モードに設定されている場合の表示装置の液晶表示部における画面の表示例（第２例）を示す図である。
【図１４】図１４は、本発明の実施の形態１に係る撮像システムにおいて、表示装置のシャッターが開いた状態でユーザが表示装置を装着している状況を示す図である。
【図１５】図１５は、本発明の実施の形態１に係る撮像システムにおいて、撮像装置が再生モードに設定されている場合の表示装置の液晶表示部における画面の表示例を示す図である。
【図１６】図１６は、本発明の実施の形態１に係る撮像装置が撮影モードに設定されている場合の処理の概要を示すフローチャートである。
【図１７】図１７は、本発明の実施の形態１に係る撮像装置が再生モードに設定されている場合の処理の概要を示すフローチャートである。
【図１８】図１８は、本発明の実施の形態１に係る表示装置の処理の概要を示すフローチャートである。
【図１９】図１９は、本発明の実施の形態２に係る撮像システムの構成を示すブロック図である。
【図２０】図２０は、本発明の実施の形態２に係る撮像装置が撮影モードに設定されている場合の処理の概要を示すフローチャートである。
【図２１】図２１は、本発明の実施の形態２に係る撮像装置が再生モードに設定されている場合の処理の概要を示すフローチャートである。
【図２２】図２２は、本発明の実施の形態２に係る撮像装置が備える表示部におけるサムネイルの表示例を示す図である。
【図２３】図２３は、本発明の実施の形態２に係る表示装置の処理の概要を示すフローチャートである。
【図２４】図２４は、本発明の実施の形態２に係る撮像装置において、表示装置が撮像装置から受信した再生画像の液晶表示部における表示例を示す図である。
【図２５】図２５は、本発明の実施の形態２の変形例に係る撮像装置の構成を示すブロック図である。
【図２６】図２６は、本発明の実施の形態２の変形例に係る撮像装置が再生モードに設定されている場合の処理の概要を示すフローチャートである。
【図２７】図２７は、本発明の実施の形態２の変形例に係る撮像システムにおいて、表示装置が撮像装置から受信した再生画像の液晶表示部における表示例を示す図である。
【図２８】図２８は、本発明の実施の形態３に係る撮像システムの構成を示すブロック図である。
【図２９】図２９は、本発明の実施の形態３に係る撮像システムを用いてユーザが撮影を行う状況を示す図である。
【図３０】図３０は、本発明の実施の形態３に係る撮像装置をユーザが構えた状況をユーザから見た図である。
【図３１】図３１は、本発明の実施の形態３に係る撮像システムにおいて、撮像装置が撮影モードに設定されている場合の表示装置の液晶表示部の表示例を示す図である。
【図３２】図３２は、本発明の実施の形態３に係る撮像装置が撮影モードに設定されている場合の処理の概要を示すフローチャートである。
【図３３】図３３は、本発明の実施の形態３に係る表示装置の処理の概要を示すフローチャートである。
【図３４】図３４は、本発明の実施の形態４に係る撮像システムの構成を示すブロック図である。
【図３５】図３５は、本発明の実施の形態４に係る表示装置の外観構成および機能を示す図である。
【図３６】図３６は、本発明の実施の形態４に係る撮像システムにおいて、２つの撮像装置が連携撮影モードに設定されている場合に表示装置の液晶表示部に最初に表示される初期画像の表示例を示す図である。
【図３７】図３７は、本発明の実施の形態４に係る撮像システムにおいて、２つの撮像装置が連携撮影モードに設定されており、ユーザが各撮像装置の表示部に接触した状態で表示装置の液晶表示部に表示される画像の表示例（第１例）を示す図である。
【図３８】図３８は、本発明の実施の形態４に係る撮像システムにおいて、２つの撮像装置が連携撮影モードに設定されており、ユーザが各撮像装置の表示部に接触した状態で表示装置の液晶表示部に表示される画像の表示例（第２例）を示す図である。
【図３９】図３９は、本発明の実施の形態４に係る撮像装置が撮影モードに設定されている場合の処理の概要を示すフローチャートである。
【図４０】図４０は、本発明の実施の形態４に係る表示装置の処理の概要を示すフローチャートである。
【発明を実施するための形態】
【００２４】
以下、添付図面を参照して本発明を実施するための形態（以下、「実施の形態」という）を説明する。
【００２５】
（実施の形態１）
図１は、本発明の実施の形態１に係る撮像システムの構成を示すブロック図である。同図に示す撮像システム１００は、所定の視野領域の被写体を撮像してデジタルの画像データを生成する撮像装置１と、撮像装置１と通信可能であり、撮像装置１が撮像する画像を含む情報を表示する顔部装着型の表示装置（以下、「ＦＭＤ」という）２と、を備える。
【００２６】
撮像装置１は、所定の視野領域に含まれる被写体からの光を集光して結像し、この結像した被写体像を光電変換することによって得られる画像信号からデジタルの画像データを生成する撮像部１１と、撮像部１１が生成した画像データに対して画像処理を施す画像処理部１２と、画像処理部１２で処理が施された画像データに対応する画像を表示する表示部１３と、撮像装置１の表面に設けられた各種ボタンからなり、撮像装置１の操作信号等の入力を受け付ける入力部１４と、撮像装置１の姿勢や明るさを含む撮像部１１の視野領域の状態を検知するセンサ部１５と、撮影日時の判定機能やタイマー機能を有する時計１６と、撮像部１１が撮影した画像の画像データを記憶する記憶部１７と、ＦＭＤ２との間で所定の通信方式による情報の送受信を行う撮像側通信部１８と、センサ部１５の検知結果や入力部１４から入力された操作信号に応じて撮像装置１の動作を制御する制御部１９と、を備える。
【００２７】
撮像部１１は、一または複数のレンズによって構成され、所定の視野領域に存在する被写体からの光を集光する光学系と、光学系が集光した光の入射量を調整する絞りと、レリーズ入力に応じて動作するシャッタと、絞りおよびシャッタを通過して結像した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００２８】
図２は、撮像装置１の背面側の構成を示す斜視図である。撮像装置１の背面側には、表示部１３と、入力部１４を構成するレリーズボタン１４ａ等の各種ボタンが設けられている。表示部１３は、撮像装置１の背面において入力部１４のボタンを除く略全域にわたって設けられている。図３は、表示部１３の要部の構成を模式的に示す図である。表示部１３は、液晶、ガラス基板、カラーフィルタ、および複数の画素をそれぞれ含む複数の駆動回路を有する液晶部１３１と、液晶部１３１に対して光を照射するバックライト１３２とを備える。液晶部１３１は、複数の駆動回路の近傍にそれぞれ設けられ、指などの物体が外部から液晶部１３１に接触した場合にその物体によって反射される光を検出する複数の光センサ１３３を有する。
【００２９】
図４は、光センサ１３３の作用を模式的に説明する図である。液晶部１３１の表面にユーザの指ｆが置かれると、バックライト１３２から照射されて液晶部１３１を透過する照射光Ｌ１の一部が指ｆによって反射される。指ｆの近傍に位置する光センサ１３３は、この反射光Ｌ２を受光する。光センサ１３３は、反射光Ｌ２を受光した場合、この受光した反射光Ｌ２に応じたセンサ信号を制御部１９へ送信する。
【００３０】
図５は、表示部１３上で行われる操作信号の入力前後の状況を模式的に示す図である。ユーザは、指ｆでさらに強く表示部１３の表面を押圧することによって所定の入力信号を入力する。この際、指ｆの断面形状は横に広がった形状となるため、反射光Ｌ２を受光する光センサ１３３の数が、入力信号の入力前よりも多くなる。
【００３１】
入力部１４は、レリーズボタン１４ａの他、電源ボタン、撮像装置１で設定可能な各種動作モードの切替を行うモード切替ボタン、画像データの再生や編集の指示を含む制御ボタンなどを有する。
【００３２】
センサ部１５は、撮像装置の姿勢を検出するジャイロセンサや露出演算を行うための測光用センサを有する。
【００３３】
記憶部１７は、撮像部１１が撮影した画像の画像データを記憶する画像データ記憶部１７１と、撮像装置１が実行する各種プログラムを記憶するプログラム記憶部１７２とを有する。記憶部１７は、撮像装置１の内部に固定的に設けられるフラッシュメモリやＤＲＡＭ（Dynamic Random Access Memory）等の半導体メモリを用いて実現される。なお、記憶部１７に、外部から装着されるメモリカード等のコンピュータ読取可能な記録媒体に対して情報を記録する一方、記録媒体が記録する情報を読み出す記録媒体インターフェースとしての機能を具備させてもよい。
【００３４】
撮像側通信部１８は、ＦＭＤ２との間で無線ＬＡＮ（Local Area Network）、赤外線通信、または非接触通信などの無線通信を行う。なお、撮像側通信部１８とＦＭＤ２との間の通信を有線によって実現してもよい。
【００３５】
制御部１９は、光センサ１３３が出力するセンサ信号に基づいて物体の表示部１３における接触位置を検出する接触位置検出部１９１と、複数の光センサ１３３の出力態様の変化に基づいて表示部１３を介して入力された操作信号の内容を判定する操作判定部１９２と、操作判定部１９２が判定した操作信号とＦＭＤ２から送られてくる画像表示部２２の表示状態を示す表示状態信号とを照合する照合部１９３と、を有する。制御部１９は、ＣＰＵ（Central Processing Unit）等を用いて実現され、制御対象である撮像装置１の各構成部位とバスラインを介して接続されている。
【００３６】
次に、図１を参照してＦＭＤ２の構成を説明する。ＦＭＤ２は、撮像装置１との間で画像データを含む各種情報の送受信を行う表示側通信部２１と、撮像装置１から送られてきた画像等の情報を表示する画像表示部２２と、各種情報を記憶する記憶部２３と、ＦＤＭ３の動作を制御する制御部２４と、を備える。記憶部２３は、画像表示部２２でスーパーインポーズする各種ボタンの画像を記憶するボタン画像記憶部２３１を有する。
【００３７】
図６は、ＦＭＤ２の外観構成を示す斜視図である。また、図７は、ＦＭＤ２の内部構成を模式的に示す図である。ＦＭＤ２は、つると鼻あて部材を一つずつ備え、メガネを半分にした形状をなしている。メガネのレンズ部分には、制御部２４の制御のもとで開閉自在なシャッター２２１が設けられている。図６および図７は、シャッター２２１が閉じた状態を示している。図７に示すように、シャッター２２１の内側には、液晶表示部２２２と、複数のレンズを有し、外部からの光を透過する一方、液晶表示部２２２が表示する画像を反射する光学系２２３とが設けられている。
【００３８】
光学系２２３は、略くさび状をなす自由曲面プリズム２２３ａと、自由曲面プリズム２２３ａにコーティングされた略凹面鏡状のハーフミラーコート２２３ｂと、ハーフミラーコート２２３ｂに接合され、ハーフミラーコート２２３ｂを透過する透過光のパワーを補正する略くさび状の補正プリズム２２３ｃとを有する。
【００３９】
液晶表示部２２２で画像を表示する場合には、図６等に示すようにシャッター２２１を閉じて外部からの光が光学系２２３を透過しないようにする。この場合、液晶表示部２２２が発した光は、自由曲面プリズム２２３ａおよびハーフミラーコート２２３ｂで順次反射された後、自由曲面プリズム２２３ａを透過してＦＭＤ２を装着したユーザの目に届く。これにより、ユーザは液晶表示部２２２が表示する画像を認識することができる。
この画像は目の近くで表示されるため、ユーザは大画面で画像を見るとの同様の感覚を得ることができる。
【００４０】
図８は、シャッター２２１を開いた状態のＦＭＤ２の外観構成を示す斜視図である。また、図９は、図８に示す状態における画像表示部２２の内部構成を模式的に示す図である。液晶表示部２２２で画像を表示しない場合、シャッター２２１を開くことによって光学系２２３に外部からの光を透過させる。このようにしてシャッター２２１を開くことにより、ユーザは、ＦＭＤ２を装着した側の目にも自然な視界を得ることができる。
【００４１】
図１０は、以上の構成を有する撮像システム１００を用いてユーザが撮影を行う状況を示す図である。撮像装置１が撮影モードに設定された状態で、撮像装置１の姿勢が撮影時の状態になっていることをセンサ部１５が検出すると、撮像装置１はＦＭＤ２に対してシャッター２２１を閉じる制御信号を送信する。撮像装置１からシャッター２２１を閉じる制御信号を受信したＦＭＤ２は、その制御信号に基づいてシャッター２２１を閉じる。図１１は、ユーザが撮像装置１を構えながら指ｆを表示部１３に接触させている状態を示す図である。この状態にある場合、接触位置検出部１９１は指ｆの接触位置を判定し、この接触位置情報をＦＭＤ２へ送信するとともに、撮像部１１が撮像している画像（スルー画像）の画像データをＦＭＤ２へ送信する。
【００４２】
図１２は、図１１に示す状態で液晶表示部２２２が表示する画面の表示例を示す図である。液晶表示部２２２は、撮像部１１が撮像したスルー画像２２２ａ、指ｆの表示部１３における接触位置を示す指位置表示画像２２２ｂに加えて、撮影用の指示入力ボタンとしてズームインボタンＳＩ１、ズームアウトボタンＳＩ２をスーパーインポーズする。例えば、ユーザが指ｆをズームアウトボタンＳＩ２の上に来るように移動すると、図１３に示すように、指位置表示画像２２２ｂがズームアウトボタンＳＩ２と重なり、ズームアウトボタンＳＩ２は選択状態の表示に切り替わる。図１３に示す状態で指ｆによる押圧力を強めると、撮像装置１ではズームアウト処理が行われる。なお、ユーザが表示部１３の上に指ｆを置いていない場合、液晶表示部２２２は指位置表示画像２２２ｂおよびズームインボタンＳＩ１、ズームアウトボタンＳＩ２を表示しない。なお、撮影用ボタンとしては、他にもシャッタースピードの切替、露出補正、ストロボのオンオフ、などを行うボタンを表示することができる。
【００４３】
ここまで、撮像装置１が撮影モードに設定されており、ユーザが撮像装置１を構えた状態について説明してきたが、撮影モードでユーザが撮像装置１を構えていない場合、シャッター２２１は、図１４に示すように、撮像装置１の設定モードによらずに開いている。したがって、この状態において、ユーザは両目で外部を見ることができる。
【００４４】
図１５は、撮像装置１が再生モードに設定されている場合の液晶表示部２２２における画面の表示例を示す図である。この場合、ＦＭＤ２では、撮像装置１の姿勢によらずシャッター２２１が閉じた状態となる。図１５において、液晶表示部２２２は、画像データ記憶部１７１が記憶する画像データのうち選択された画像データに対応する再生画像２２２ｃおよび指位置表示画像２２２ｂに加えて、再生用の指示入力ボタン（再生用ボタン）として前移動ボタンＳＩ３、後移動ボタンＳＩ４および消去ボタンＳＩ５をスーパーインポーズする。ユーザが所望の操作を示すボタンと指位置表示画像２２２ｂとが重なるように指ｆの位置合わせを行った後、押圧力を強めると、撮像装置１はその押圧した部分に対応する処理を行う。この場合にも、選択された再生用ボタンは選択状態の表示に切り替わる。なお、再生用ボタンとしては、他にもスライドショーをオンオフするボタンや、再生画像を瞬時に連続的に変化させる回転ボタンを設けてもよい。
【００４５】
以上のように、本実施の形態１においては、撮像装置１の表示部１３の表示をＦＭＤ２で行い、撮影モードでユーザが所定の態勢をとって撮像装置１を構えた場合や再生モードに設定されている場合には、表示部１３上における操作指示入力位置と指の位置を表示するため、ユーザは操作を容易に行うことができる。特に、ＦＭＤ２を用いることにより、屋外などで表示部１３が見にくい場合であっても、ユーザは液晶表示部２２２で拡大された画像を外部の明るさの影響を受けずに見ることができるため、撮影や再生画像の確認または編集を容易に行うことができる。
【００４６】
図１６は、撮像装置１が撮影モードに設定されている場合の処理の概要を示すフローチャートである。この場合、センサ部１５が撮像装置１の姿勢を検出した結果、撮像装置１が所定の撮影可能状態にある場合（ステップＳ１：Ｙｅｓ）、撮像装置１は露出演算（ステップＳ２）とピント調整（ステップＳ３）を行い、表示部１３でスルー画像を表示する（ステップＳ４）。ステップＳ１において、撮像装置１が撮影可能状態にない場合（ステップＳ１：Ｎｏ）、撮像装置１は後述するステップＳ２３へ移行する。
【００４７】
ステップＳ１でいう「撮影可能状態」とは、例えばユーザが自分の顔の近くで撮像装置１を構えた状況を意味する。このような状況は、センサ部１５が検知する撮像装置１の姿勢に基づいて判定することができる。なお、撮像装置１とＦＭＤ２との通信を非接触通信によって行う場合、両者が所定の距離まで近づくことによって通信が確立することを利用して撮影可能状態を判定するようにしてもよい。また、撮像装置１とＦＭＤ２との通信を無線ＬＡＮによって行う場合、例えばユーザがレリーズボタン１４ａを半押しすると電波が発信するようにしてもよい。
【００４８】
ステップＳ４に続いて、撮像装置１は、ＦＭＤ２に対してシャッター２２１を閉じる制御信号を送信し（ステップＳ５）、ＦＭＤ２にスルー画像の画像データを送信する（ステップＳ６）。
【００４９】
その後、接触位置検出部１９１が表示部１３に接触する指等の物体およびその物体の接触位置を検出した場合（ステップＳ７：Ｙｅｓ）、撮像装置１は撮影用ボタンの表示を指示する撮影用ボタン表示指示信号および物体の接触位置情報をＦＭＤ２へ送信する（ステップＳ８）。一方、接触位置検出部１９１が表示部１３に接触する物体を検出しなかった場合（ステップＳ７：Ｎｏ）、撮像装置１は後述するステップＳ２３へ移行する。
【００５０】
ステップＳ８の後、表示部１３上でユーザによる操作が行われた場合（ステップＳ９：Ｙｅｓ）、撮像装置１はＦＭＤ２に対し、液晶表示部２２２の表示状態の送信を要求する表示状態要求信号をＦＭＤ２へ送信する（ステップＳ１０）。これに対し、ステップＳ８の後、表示部１３上でユーザによる操作が行われなかった場合（ステップＳ９：Ｎｏ）において、撮像装置１がＦＭＤ２に撮影用ボタン表示指示信号および接触位置情報を送信してから所定時間経過しているとき（ステップＳ１１：Ｙｅｓ）、撮像装置１はステップＳ２３へ移行する。表示部１３上でユーザによる操作が行われない場合（ステップＳ９：Ｎｏ）において、撮像装置１がＦＭＤ２に撮影用ボタン表示指示信号および接触位置情報を送信してから所定時間経過していないとき（ステップＳ１１：Ｎｏ）、撮像装置１はステップＳ９へ戻る。
【００５１】
ステップＳ１０で撮像装置１がＦＭＤ２に表示状態要求信号を送信してから所定時間以内にＦＭＤ２から液晶表示部２２２の表示状態を示す表示状態信号を受信した場合（ステップＳ１２：Ｙｅｓ）、照合部１９３は操作信号と表示状態信号を照合する（ステップＳ１３）。照合部１９３が照合した結果、操作信号と表示状態信号が正常に対応している（以下、照合結果が「正常」であるという）とき（ステップＳ１４：Ｙｅｓ）、撮像装置１は操作信号に応じた処理を行い（ステップＳ１５）、ＦＭＤ２に対して処理内容を反映した表示を指示する処理反映表示指示信号を送信する（ステップＳ１６）。
【００５２】
ステップＳ１０で撮像装置１がＦＭＤ２へ表示状態要求信号を送信してから所定時間以内にＦＭＤ２から表示状態信号を受信しない場合（ステップＳ１２：Ｎｏ）、およびステップＳ１３で照合部１９３が照合した照合結果が「正常」でない場合（ステップＳ１４：Ｎｏ）、撮像装置１はＦＭＤ２にエラー信号を送信し（ステップＳ１７）、ステップＳ２３へ移行する。
【００５３】
ステップＳ１６の後、表示部１３上でユーザによる操作が行われた場合（ステップＳ１８：Ｙｅｓ）、撮像装置１はステップＳ１０に戻る。一方、表示部１３上でユーザによる操作が行われない場合（ステップＳ１８：Ｎｏ）において、レリーズボタン１４ａが押されたとき（ステップＳ１９：Ｙｅｓ）、撮像部１１は画像を撮影（ステップＳ２０）した後、撮影した画像の画像データを画像データ記憶部１７１へ記録する（ステップＳ２１）とともに、ＦＭＤ２へ送信する（ステップＳ２２）。
【００５４】
ステップＳ２２の後、所定時間以内に入力部１４によって撮影終了信号が入力された場合（ステップＳ２３：Ｙｅｓ）、撮像装置１はＦＭＤ２へシャッター２２１を開く制御信号を送信し（ステップＳ２４）、一連の処理を終了する。一方、ステップＳ２２の後、所定時間以内に入力部１４によって撮影終了信号が入力されなかった場合（ステップＳ２３：Ｎｏ）、撮像装置はステップＳ１へ戻る。
【００５５】
ステップＳ１９でレリーズボタン１４ａが押されず（ステップＳ１９：Ｎｏ）、かつ撮像装置１がＦＭＤ２に処理反映表示指示信号を送信してから所定時間が経過した場合（ステップＳ２５：Ｙｅｓ）、撮像装置１はステップＳ２３へ移行する。一方、入力部１４のレリーズボタン１４ａが押されず（ステップＳ１９：Ｎｏ）、かつ撮像装置１がＦＭＤ２に処理反映指示信号を送信してから所定時間が経過していなければ（ステップＳ２５：Ｎｏ）、撮像装置１はステップＳ１８に戻る。
【００５６】
図１７は、撮像装置１が再生モードに設定されている場合の処理の概要を示すフローチャートである。この場合、撮像装置１は、ＦＭＤ２へシャッター２２１を閉じる制御信号を送信する（ステップＳ３１）。続いて、撮像装置１は、表示部１３で再生画像を表示する（ステップＳ３２）とともに、ＦＭＤ２へ再生画像の画像データを送信する（ステップＳ３３）。
【００５７】
ステップＳ３４〜Ｓ４４の処理は、図１６のステップＳ７〜Ｓ１７の処理に順次対応している。ただし、ステップＳ３５では、撮影用ボタン表示指示信号の代わりに再生用ボタン表示指示信号を送信する。また、ステップＳ３８において、撮像装置１が再生用ボタン表示指示信号および接触位置情報を送信してから所定時間が経過した場合（ステップＳ３８：Ｙｅｓ）、撮像装置１はステップＳ４５へ移行する。また、ステップＳ４４で撮像装置１がＦＭＤ２にエラー信号を送信した後、撮像装置１はステップＳ４５へ移行する。
【００５８】
ステップＳ４３の後、所定時間以内に入力部１４によって再生を終了する信号が入力された場合（ステップＳ４５：Ｙｅｓ）、撮像装置１はＦＭＤ２にシャッター２２１を開く制御信号を送信し（ステップＳ４６）、一連の処理を終了する。一方、ステップＳ４３の後、入力部１４によって再生を終了する信号が入力されなかった場合（ステップＳ４５：Ｎｏ）、撮像装置１はステップＳ３２に戻る。
【００５９】
図１８は、ＦＭＤ２の処理の概要を示すフローチャートである。以下の説明では、ＦＭＤ２の電源がオンになっているものとする。ＦＭＤ２は、撮像装置１からシャッターを閉じる制御信号を受信した場合（ステップＳ５１：Ｙｅｓ）、シャッター２２１を閉じる（ステップＳ５２）。一方、撮像装置１からシャッター２２１を閉じる制御信号を受信しない場合（ステップＳ５１：Ｎｏ）、ＦＭＤ２はステップＳ５１を繰り返す。
【００６０】
ステップＳ５２の後、ＦＭＤ２が所定時間以内に撮像装置１からスルー画像の画像データを受信した場合（ステップＳ５３：Ｙｅｓ）、ＦＭＤ２は液晶表示部２２２でスルー画像を表示する（ステップＳ５４）。
【００６１】
続いて、ＦＭＤ２が撮像装置１から撮影用ボタン表示指示信号および物体の接触位置情報を受信した場合（ステップＳ５５：Ｙｅｓ）、例えば図１２に示すように、撮影用ボタン（ズームインボタンＳＩ１、ズームアウトボタンＳＩ２）および物体の接触位置（指位置表示画像２２２ｂ）をスルー画像２２２ａに重ねて表示する（ステップＳ５６）。一方、ＦＭＤ２が撮像装置１から撮影用ボタン表示指示信号および物体の接触位置情報を受信しない場合（ステップＳ５５：Ｎｏ）、ステップＳ５３へ戻る。この場合におけるステップＳ５３の所定時間は、スルー画像２２２ａ等の表示を開始してから時計１６によって計測される。
【００６２】
ステップＳ５６の後、撮像装置１から表示状態要求信号を受信した場合（ステップＳ５７：Ｙｅｓ）、ＦＭＤ２は撮像装置１へ表示状態信号を送信する（ステップＳ５８）。一方、ＦＭＤ２が撮像装置１から表示状態要求信号を受信しない場合（ステップＳ５７：Ｎｏ）、ＦＭＤ２はステップＳ５３へ戻る。
【００６３】
ＦＭＤ２が撮像装置１へ表示状態信号を送信してから所定時間以内に撮像装置１から処理反映表示指示信号を受信した場合（ステップＳ５９：Ｙｅｓ）、ＦＭＤ２は受信した処理反映表示指示信号にしたがって液晶表示部２２２の表示内容を更新する（ステップＳ６０）。一方、ＦＭＤ２が撮像装置１へ表示状態信号を送信してから所定時間以内に撮像装置１から処理反映表示指示信号を受信しない場合（ステップＳ５９：Ｎｏ）、ＦＭＤ２は液晶表示部２２２でエラー表示を行い（ステップＳ６１）、一連の処理を終了する。
【００６４】
ステップＳ６０の後、撮像装置１から撮影画像の画像データを受信した場合（ステップＳ６２：Ｙｅｓ）、液晶表示部２２２は受信した撮影画像を表示する（ステップＳ６３）。
【００６５】
この後、撮像装置１からシャッターを開く制御信号を受信した場合（ステップＳ６４：Ｙｅｓ）、ＦＭＤ２はシャッターを開き（ステップＳ６５）、一連の処理を終了する。
【００６６】
撮像装置１から撮影画像の画像データを受信しない場合（ステップＳ６２：Ｎｏ）、および撮像装置１からシャッターを開く制御信号を受信しない場合（ステップＳ６４：Ｎｏ）、撮像装置１はステップＳ５３へ戻る。
【００６７】
次に、ＦＭＤ２が撮像装置１へ表示状態信号を送信してから所定時間以内にスルー画像の画像データを受信しない場合（ステップＳ５３：Ｎｏ）を説明する。この場合、ＦＭＤ２が所定時間以内に撮像装置１から再生画像の画像データを受信したとき（ステップＳ６６：Ｙｅｓ）、ＦＭＤ２は受信した再生画像を表示する（ステップＳ６７）。
【００６８】
その後、撮像装置１から再生用ボタン表示指示信号および物体の接触位置情報を受信した場合（ステップＳ６８：Ｙｅｓ）、ＦＭＤ２は液晶表示部２２２で再生用ボタンおよび物体の接触位置を再生画像に重ねて表示し（ステップＳ６９）、ステップＳ５７へ移行する。一方、ステップＳ６８で再生用ボタン表示指示信号および指位置表示指示信号を受信しない場合（ステップＳ６８：Ｎｏ）、ＦＭＤ２はステップＳ５１に戻る。
【００６９】
ステップＳ６６でＦＭＤ２が所定時間以内に撮像装置１から再生画像の画像データを受信しないとき（ステップＳ６６：Ｎｏ）、ＦＭＤ２はステップＳ６１へ移行する。
【００７０】
以上説明した本発明の実施の形態１によれば、表示部１３上で外部からの接触による操作を行うことが可能な撮像装置１を操作する際に、人物の頭部に装着可能であり、装着した人物の目の近傍で画像を表示するＦＭＤ２が操作用のボタン画像を表示するとともに、撮像装置１の表示部１３に接触している物体の接触位置を重ねて表示するため、ユーザはＦＭＤ２を見ながら操作入力を行うことができる。したがって、ユーザは周囲の環境によらず大画面相当の画像を見ることができるだけでなく、優れた操作性も享受することができる。
【００７１】
また、本実施の形態１によれば、撮像装置１やＦＭＤ２に余分な操作ボタンを設けることなく、大画面で操作を確認しながら撮影を行うことが可能となる。
【００７２】
また、本実施の形態１によれば、撮像装置１の表示部１３の画面を確認しなくても、ＦＭＤ２に映し出される大画面での確認を行うことができるため、屋外で表示部１３を見るのが難しいような状況下であっても鮮明な画像を見ることができる。また、ＦＭＤ２での表示を行うことにより、老眼や遠視のユーザも撮影や再生を容易に行うことができる。
【００７３】
（実施の形態２）
図１９は、本発明の実施の形態２に係る撮像システムの構成を示すブロック図である。同図に示す撮像システム２００は、所定の視野領域の画像を撮像してデジタルの画像データを生成する撮像装置３と、撮像装置３と通信可能であり、撮像装置３が撮像する画像を含む情報を表示するＦＭＤ４と、を備える。本実施の形態２においては、撮像装置３に入力された操作信号と、ＦＭＤ４が表示する表示状態との照合をＦＭＤ４が行う。このため、撮像装置３は、制御部３１の構成を除いて上述した撮像装置１と同様の構成を有している。また、ＦＭＤ４は、制御部４１の構成を除いて上述したＦＭＤ２と同様の構成を有している。具体的には、制御部３１は照合部を有しない一方、制御部４１は照合部４１１を有する。
【００７４】
図２０は、撮像装置３が撮影モードに設定されている場合の処理の概要を示すフローチャートである。この場合のステップＳ７１〜Ｓ７８の処理は、図１６のステップＳ１〜Ｓ８の処理にそれぞれ対応している。なお、ステップＳ７７において表示部１３に接触する物体を検出しない場合（ステップＳ７７：Ｎｏ）、撮像装置３は後述するステップＳ９１へ移行する。以下、ステップＳ７９以降の処理を説明する。
【００７５】
ステップＳ７９において、表示部１３上でユーザによる操作が行われた場合（ステップＳ７９：Ｙｅｓ）、撮像装置３は入力された操作信号に対応する操作内容情報を送信する（ステップＳ８０）。一方、表示部１３上でユーザによる操作が行われなかった場合（ステップＳ７９：Ｎｏ）、撮像装置３がＦＭＤ４に撮影用ボタン表示指示信号および物体の接触位置情報を送信してから所定時間経過しているとき（ステップＳ８１：Ｙｅｓ）、撮像装置３はステップＳ９１へ移行する。ステップＳ８１において撮像装置３がＦＭＤ４に撮影用ボタン表示指示信号および物体の接触位置情報を送信してから所定時間経過していないとき（ステップＳ８１：Ｎｏ）、撮像装置３はステップＳ７９へ戻る。
【００７６】
撮像装置３がＦＭＤ４に操作内容情報を送信してから所定時間以内にＦＭＤ４から操作内容情報と液晶表示部２２２における表示内容との照合結果を受信した場合（ステップＳ８２：Ｙｅｓ）において、受信した照合結果が「正常」であるとき（ステップＳ８３：Ｙｅｓ）、撮像装置３は操作信号に応じた処理を行い（ステップＳ８４）、ＦＭＤ４に対して処理反映表示指示信号を送信する（ステップＳ８５）。
【００７７】
ステップＳ８２で撮像装置３がＦＭＤ４に表示状態要求信号を送信してから所定時間以内にＦＭＤ４から照合結果を受信しない場合（ステップＳ８２：Ｎｏ）、およびＦＭＤ４から受信した照合結果が「正常」でない場合（ステップＳ８３：Ｎｏ）、ＦＭＤ４はステップＳ９２へ移行する。
【００７８】
ステップＳ８５の後、表示部１３上でユーザによる操作が行われた場合（ステップＳ８６：Ｙｅｓ）、撮像装置３はステップＳ８０に戻る。一方、表示部１３上でユーザによる操作が行われない場合（ステップＳ８６：Ｎｏ）において、レリーズボタン１４ａが押されたとき（ステップＳ８７：Ｙｅｓ）、撮像部１１は画像を撮影する（ステップＳ８８）。その後、撮像装置３は、撮影した画像を画像データ記憶部１７１へ記録（ステップＳ８９）するとともに、ＦＭＤ４へ送信する（ステップＳ９０）。
【００７９】
ステップＳ９０の後、所定時間以内に入力部１４によって撮影終了信号が入力された場合（ステップＳ９１：Ｙｅｓ）、撮像装置１はＦＭＤ４へシャッター２２１を開く制御信号を送信し（ステップＳ９２）、一連の処理を終了する。一方、ステップＳ９０の後、所定時間以内に入力部１４によって撮影終了信号が入力されなかった場合（ステップＳ９１：Ｎｏ）、撮像装置はステップＳ７１に戻る。
【００８０】
ステップＳ８７でレリーズボタン１４ａが押されず（ステップＳ８７：Ｎｏ）、かつ撮像装置３がＦＭＤ４に処理反映表示指示信号を送信してから所定時間が経過した場合（ステップＳ９３：Ｙｅｓ）、撮像装置３はステップＳ９１へ移行する。一方、ステップＳ８７でレリーズボタン１４ａが押されず（ステップＳ８７：Ｎｏ）、かつ撮像装置３がＦＭＤ４に処理反映指示信号を送信してから所定時間が経過していない場合（ステップＳ９３：Ｎｏ）、撮像装置３はステップＳ８６へ戻る。
【００８１】
図２１は、撮像装置３が再生モードに設定されている場合の処理の概要を示すフローチャートである。この場合、撮像装置３は、ＦＭＤ２にシャッター２２１を閉じる制御信号を送信する（ステップＳ１０１）。続いて、撮像装置３は、入力部１４によって指定された再生画像のサムネイルを表示部１３で表示する（ステップＳ１０２）。図２２は、表示部１３におけるサムネイルの表示例を示す図である。同図に示すサムネイルＴＮにおいては、最大で１６枚の撮影済み画像が表示される。ユーザは、表示部１３上のサムネイルＴＮから所望の画像に指をタッチして押圧することにより、画像を選択することができる。
【００８２】
ユーザによって画像が選択された場合（ステップＳ１０３：Ｙｅｓ）、撮像装置３は選択された画像の画像データをＦＭＤ４へ送信する（ステップＳ１０４）。一方、ユーザによって画像が選択されなかった場合（ステップＳ１０３：Ｎｏ）、撮像装置３は後述するステップＳ１０５に進む。
【００８３】
ステップＳ１０４の後、所定時間以内に入力部１４によって再生を終了する信号が入力された場合（ステップＳ１０５：Ｙｅｓ）、撮像装置３はＦＭＤ４にシャッター２２１を開く制御信号を送信し（ステップＳ１０６）、一連の処理を終了する。一方、ステップＳ１０４の後、所定時間以内に入力部１４によって再生を終了する信号が入力されない場合（ステップＳ１０５：Ｎｏ）、撮像装置３はステップＳ１０２へ戻る。
【００８４】
図２３は、ＦＭＤ４の処理の概要を示すフローチャートである。以下の説明で、ＦＭＤ４の電源はオンになっているものとする。図２３において、ステップＳ１１１〜Ｓ１１６の処理は、図１８のステップＳ５１〜Ｓ５６の処理に順次対応している。以下、ステップＳ１１７以降の処理を説明する。
【００８５】
ステップＳ１１７において、ＦＭＤ４が撮像装置３から操作内容情報を受信した場合（ステップＳ１１７：Ｙｅｓ）、照合部４１１は操作内容情報と液晶表示部２２２における表示状態とを照合し（ステップＳ１１８）、撮像装置３へ照合結果を送信する（ステップＳ１１９）。
【００８６】
続いて、照合部４１１の照合結果が「正常」である場合（ステップＳ１２０：Ｙｅｓ）、ＦＭＤ４が照合結果を送信してから所定時間以内に撮像装置３から処理反映表示指示信号を受信したとき（ステップＳ１２１：Ｙｅｓ）、ＦＭＤ４は受信した処理反映表示指示信号にしたがって液晶表示部２２２の表示内容を更新する（ステップＳ１２２）。
【００８７】
その後、撮像装置３から撮影画像の画像データを受信した場合（ステップＳ１２３：Ｙｅｓ）、液晶表示部２２２は受信した撮影画像を表示する（ステップＳ１２４）。この後、撮像装置１からシャッターを開く制御信号を受信した場合（ステップＳ１２５：Ｙｅｓ）、ＦＭＤ４はシャッターを開き（ステップＳ１２６）、一連の処理を終了する。
【００８８】
撮像装置３から撮影画像の画像データを受信しない場合（ステップＳ１２３：Ｎｏ）、および撮像装置１からシャッターを開く制御信号を受信しない場合（ステップＳ１２５：Ｎｏ）、撮像装置３はステップＳ１１３へ戻る。
【００８９】
ステップＳ１２０において、照合部４１１の照合結果が「正常」でない場合（ステップＳ１２０：Ｎｏ）、およびＦＭＤ４が撮像装置３へ照合結果を送信してから所定時間以内に撮像装置１から処理反映表示信号を受信しない場合（ステップＳ１２１：Ｎｏ）、ＦＭＤ４は液晶表示部２２２でエラー表示を行い（ステップＳ１２７）、ステップＳ１２５へ移行する。
【００９０】
次に、ステップＳ１１３でＦＭＤ４が所定時間以内に撮像装置３からスルー画像を受信しない場合（ステップＳ１１３：Ｎｏ）を説明する。この場合において、ＦＭＤ４がシャッター２２１を閉じてから所定時間以内に撮像装置１から再生画像の画像データを受信したとき（ステップＳ１２８：Ｙｅｓ）、液晶表示部２２２は再生画像を表示する（ステップＳ１２９）。図２４は、この場合の液晶表示部２２２における再生画像の表示例を示す図である。同図に示す再生画像２２２ｄは、図２２に示すサムネイルＴＮの中の画像ＴＮ１をユーザが指で押圧することによって選択した場合の表示例である。
【００９１】
その後、撮像装置３から再生用ボタン表示指示信号および物体の接触位置情報を受信した場合（ステップＳ１３０：Ｙｅｓ）、ＦＭＤ４は液晶表示部２２２で再生用ボタンおよび物体の接触位置情報を再生画像に重ねて表示し（ステップＳ１３１）、ステップＳ１１７へ移行する。
【００９２】
ＦＭＤ４が再生用ボタン表示指示信号および物体の接触位置情報を受信しない場合（ステップＳ１３０：Ｎｏ）、ＦＭＤ４はステップＳ１１１へ戻る。
【００９３】
以上説明した本発明の実施の形態２によれば、表示部１３上で外部からの接触による操作を行うことが可能な撮像装置３を操作する際に、人物の頭部に装着可能であり、装着した人物の目の近傍で画像を表示するＦＭＤ４が操作用のボタン画像を表示するとともに、撮像装置３の表示部１３に接触している物体の接触位置を重ねて表示するため、ユーザはＦＭＤ４を見ながら操作入力を行うことができる。したがって、ユーザは周囲の環境によらず大画面相当の画像を見ることができるだけでなく、優れた操作性も享受することができる。
【００９４】
また、本実施の形態２によれば、撮像装置３がサムネイル表示する複数の画像からユーザが選択した画像をＦＭＤ４で拡大表示することができるため、表示部１３では見難い画像も液晶表示部２２２で明瞭に見ることができる。
【００９５】
また、本実施の形態２によれば、撮像装置３で入力された操作信号とＦＭＤ４の表示状態との照合をＦＭＤ４が行うため、撮像装置３の構成を簡易化することができる。
【００９６】
図２５は、本実施の形態２の変形例に係る撮像装置の構成を示すブロック図である。同図に示す撮像装置５は、制御部５１の構成が上述した撮像装置３と異なっている。具体的には、制御部５１は、接触位置検出部１９１、操作判定部１９２に加えて、光センサ１３３からのセンサ信号に基いて表示部１３に接触する物体の面積変化を算出することにより、物体の押圧力に基づいたタッチレベルを判定するタッチレベル判定部５１１を有する。本変形例においては、タッチレベル判定部５１１の判定結果に応じて、再生モード設定時にＦＭＤ４で表示させる画像の表示方法が異なる。
【００９７】
図２６は、撮像装置５が再生モードに設定されている場合の処理の概要を示すフローチャートである。この場合、撮像装置５は、シャッター２２１を閉じる制御信号をＦＭＤ４へ送信する（ステップＳ１４１）。続いて、撮像装置５は、入力部１４によって指定された再生画像のサムネイルを表示部１３で表示する（ステップＳ１４２）。
【００９８】
その後、接触位置検出部１９１がサムネイル表示された画像の中から画像が選択されているのを検出した場合（ステップＳ１４３：Ｙｅｓ）において、タッチレベル判定部５１１がタッチレベルを軽レベルと判定したとき（ステップＳ１４４：Ｙｅｓ）、撮像装置５は選択された画像の画像データおよびサムネイル表示指示信号をＦＭＤ４へ送信する（ステップＳ１４５）。図２７は、サムネイル表示指示信号に応じたＦＭＤ４の再生画像の表示例を示す図である。この場合、液晶表示部２２２は、再生画像２２２ｅを、表示部１３における表示位置と同じ位置で表示する。
【００９９】
一方、接触位置検出部１９１がサムネイル表示された画像の中から画像が選択されているのを検出した場合（ステップＳ１４３：Ｙｅｓ）において、タッチレベル判定部５１１がタッチレベルを重レベルと判定したとき（ステップＳ１４４：Ｎｏ）、撮像装置５は選択された再生画像の画像データおよび拡大表示指示信号をＦＭＤ４へ送信する（ステップＳ１４６）。この場合に液晶表示部２２２が表示する画像は、図２４に示した再生画像２２２ｄである。
【０１００】
ステップＳ１４３で画像が選択されていない場合（ステップＳ１４３：Ｎｏ）、またはステップＳ１４５もしくはＳ１４６の後に撮像装置５が行う処理を説明する。この場合、入力部１４によって再生を終了する信号が入力されたとき（ステップＳ１４７：Ｙｅｓ）、撮像装置５はＦＭＤ４へシャッター２２１を閉じる制御信号を送信し（ステップＳ１４８）、一連の処理を終了する。一方、入力部１４によって再生を終了する信号が入力されないとき（ステップＳ１４７：Ｎｏ）、撮像装置５はステップＳ１３２に戻る。
【０１０１】
以上説明した本実施の形態２の変形例によれば、上述した実施の形態２と同様の効果に加え、タッチレベルに応じた表示をＦＭＤ４で行うことができ、ユーザが表示態様をタッチレベルによって調整し、所望の形態で表示することが可能となる。
【０１０２】
（実施の形態３）
図２８は、本発明の実施の形態３に係る撮像システムの構成を示すブロック図である。同図に示す撮像システム３００は、２つの撮像装置６と、各撮像装置６と通信可能であり、各撮像装置６が撮像する画像を含む情報を表示するＦＭＤ４とを備える。
【０１０３】
撮像装置６は、制御部６１の構成を除いて上述した撮像装置１と同様の構成を有している。制御部６１は、接触位置検出部１９１と、操作判定部１９２と、水平方向および鉛直方向のうち撮像装置６の底面と略平行である方向を判定する縦横判定部６１１とを有する。
【０１０４】
図２９は、以上の構成を有する撮像システム３００を用いてユーザが撮影を行う状況を示す図である。本実施の形態３では、ユーザが撮像装置６を左右に並べて撮影する。図２９において、ユーザから見て右側に位置する撮像装置６を「撮像装置６Ｒ」と記載する一方、ユーザから見て左側に位置する撮像装置６を「撮像装置６Ｌ」と記載している。
【０１０５】
図３０は、２つの撮像装置６Ｒ、６Ｌを構えた状況をユーザから見た図である。図３１は、図３０に示す状況下において液晶表示部２２２が表示する画像の表示例を示す図である。図３０に示すように、ユーザが撮像装置６Ｒの表示部１３Ｒおよび撮像装置６Ｌの表示部１３Ｌに対して右、左の親指をそれぞれ接触させた状態で保持すると、液晶表示部２２２は、撮像装置６Ｒのスルー画像２２２Ｒおよび撮像装置６Ｌのスルー画像２２２Ｌ、右指の接触位置を示す右指位置表示画像ｆR、左指の接触位置を示す左指位置表示画像ｆLとともに、レリーズボタンＳＩ−Ｒ、ＳＩ−Ｌをスーパーインポーズする。ユーザは、図３１に示す画像を、ＦＭＤ４を介して見ながら、右指位置表示画像ｆRがレリーズボタンＳＩ−Ｒと合うように右親指を移動した後、押圧することによって撮像装置６Ｒによる撮影を行う一方、左指位置表示画像ｆLがレリーズボタンＳＩ−Ｌと合うように左親指を移動した後、押圧することによって撮像装置６Ｌによる撮影を行う。
【０１０６】
図３２は、撮像装置６が撮影モードに設定されている場合の処理の概要を示すフローチャートである。センサ部１５が撮像装置６の姿勢を検出した結果、撮像装置６が撮影可能状態にある場合（ステップＳ１５１：Ｙｅｓ）、撮像装置６はシャッターを閉じる制御信号をＦＭＤ４へ送信する（ステップＳ１５２）。
【０１０７】
続いて、縦横判定部６１１は、撮像装置６の姿勢の縦横判定を行う（ステップＳ１５３）。ここで縦横判定部６１１は、例えば撮像装置６の底面と水平方向および鉛直方向とのなす角度をそれぞれ算出し、算出した角度が小さい方向に構えられていると判定する。続いて、撮像装置６は、露出演算（ステップＳ１５４）とピント調整（ステップＳ１５５）を行う。
【０１０８】
その後、接触位置検出部１９１が表示部１３に接触する指等の物体およびその物体の接触位置を検出した場合（ステップＳ１５６：Ｙｅｓ）、撮像装置６は縦横判定部６１１による判定結果を示す縦横情報、物体の接触位置情報およびスルー画像の画像データをＦＭＤ４へ送信する（ステップＳ１５７）。一方、接触位置検出部１９１が表示部１３に接触する物体の位置を検出しなかった場合（ステップＳ１５６：Ｎｏ）、撮像装置６は後述するステップＳ１５８へ移行する。
【０１０９】
ステップＳ１５８において、レリーズボタン１４ａが押された場合（ステップＳ１５８：Ｙｅｓ）、撮像装置６はレリーズボタン１４ａが押されたことを示すレリーズ操作情報をＦＭＤ４へ送信する（ステップＳ１５９）。一方、ステップＳ１５８において、レリーズボタン１４ａが押されない場合（ステップＳ１５８：Ｎｏ）、撮像装置６は後述するステップＳ１６５へ移行する。
【０１１０】
レリーズ操作情報をＦＭＤ４へ送信してから所定時間以内に、ＦＭＤ４からレリーズ操作情報と表示状態との照合結果を受信した場合（ステップＳ１６０：Ｙｅｓ）において、その照合結果が「正常」であるとき（ステップＳ１６１：Ｙｅｓ）、撮像装置６は画像を撮影（ステップＳ１６２）した後、撮影した画像を画像データ記憶部１７１へ記録する（ステップＳ１６３）とともに、ＦＭＤ４へ送信する（ステップＳ１６４）。
【０１１１】
ステップＳ１６４の後、所定時間以内に入力部１４によって撮影終了信号が入力された場合（ステップＳ１６５：Ｙｅｓ）、撮像装置６はシャッター２２１を開く制御信号をＦＭＤ４へ送信し（ステップＳ１６６）、一連の処理を終了する。一方、ステップＳ１６４の後、所定時間以内に入力部１４によって撮影終了信号が入力されない場合（ステップＳ１６５：Ｎｏ）、撮像装置６はステップＳ１５１へ戻る。
【０１１２】
レリーズ操作情報を送信してから所定時間以内にＦＭＤ４からレリーズ操作情報と表示状態との照合結果を受信しなかった場合（ステップＳ１６０：Ｎｏ）、およびＦＭＤ４から受信した照合結果が「正常」でない場合（ステップＳ１６１：Ｎｏ）、撮像装置６はステップＳ１６６へ移行する。
【０１１３】
図３３は、ＦＭＤ４の処理の概要を示すフローチャートである。以下の説明では、ＦＭＤ４の電源がオンになっているものとする。ＦＭＤ４は、２つの撮像装置６Ｒ、６Ｌからシャッターを閉じる制御信号を受信した場合（ステップＳ１７１：Ｙｅｓ）、シャッター２２１を閉じる（ステップＳ１７２）。
【０１１４】
ステップＳ１７３〜Ｓ１８９において、ＦＭＤ４は、撮像装置６Ｒ、６Ｌとの通信にそれぞれ基づいた処理を同時並行的に行う。以下、撮像装置６Ｒの表示部１３Ｒが表示するスルー画像を「右スルー画像」といい、撮像装置６Ｌの表示部１３Ｌが表示するスルー画像を「左スルー画像」という。また、撮像装置６ＲがＦＭＤ４へ送信するレリーズ操作情報を「右レリーズ操作情報」といい、撮像装置６ＬがＦＭＤ４へ送信するレリーズ操作情報を「左レリーズ操作情報」という。また、撮像装置６Ｒが撮影した画像を「右撮影画像」といい、撮像装置６Ｌが撮影した画像を「左撮影画像」という。
【０１１５】
ＦＭＤ４が、右スルー画像の画像データ、物体の接触位置情報および縦横情報を受信した場合（ステップＳ１７３：Ｙｅｓ）、液晶表示部２２２は右スルー画像および物体の接触位置（指位置表示画像）とレリーズボタンＳＩ−Ｒを重ねて表示する（ステップＳ１７４）。
【０１１６】
この後、撮像装置６Ｒから右レリーズ操作情報を受信したとき（ステップＳ１７５：Ｙｅｓ）、照合部４１１は右レリーズ操作情報と表示状態を照合し（ステップＳ１７６）、撮像装置６Ｒへ照合結果を送信する（ステップＳ１７７）。
【０１１７】
照合部４１１による照合結果が「正常」である場合（ステップＳ１７８：Ｙｅｓ）において、照合結果を撮像装置６Ｒへ送信してから所定時間以内に右撮影画像の画像データを受信したとき（ステップＳ１７９：Ｙｅｓ）、液晶表示部２２２は撮像装置６Ｒから受信した右撮影画像を表示する（ステップＳ１８０）。その後、ＦＭＤ４は後述するステップＳ１９０へ移行する。
【０１１８】
ＦＭＤ４が右スルー画像の画像データ、物体の接触位置情報および撮像装置６Ｒの縦横情報を受信しなかった場合（ステップＳ１７３：Ｎｏ）、および撮像装置６Ｒから右レリーズ操作情報を受信しなかった場合（ステップＳ１７５：Ｎｏ）、ＦＭＤ４はステップＳ１９０へ移行する。
【０１１９】
照合部４１１による照合結果が「正常」でない場合（ステップＳ１７８：Ｎｏ）、および照合結果を送信してから所定時間以内に撮像装置６Ｒから右撮影画像の画像データを受信しなかった場合（ステップＳ１７９：Ｎｏ）、液晶表示部２２２は、右スルー画像を表示する領域でエラー表示を行う（ステップＳ１８１）。その後、ＦＭＤ４はステップＳ１９０へ移行する。
【０１２０】
ここまで、ＦＭＤ４が撮像装置６Ｒとの通信に基づいて行う処理（ステップＳ１７３〜Ｓ１８０）を説明してきたが、ＦＭＤ４が撮像装置６Ｌとの通信に基づいて行う処理（ステップＳ１８２〜Ｓ１８９）も同様である。
【０１２１】
ステップＳ１９０以降の処理を説明する。ステップＳ１９０において、撮像装置６Ｒ、６Ｌからシャッター２２１を開く制御信号を受信した場合（ステップＳ１９０：Ｙｅｓ）、ＦＭＤ４はシャッター２２１を開き（ステップＳ１９１）、一連の処理を終了する。一方、撮像装置６Ｒ、６Ｌの少なくとも一方からシャッター２２１を開く制御信号を受信しなかった場合（ステップＳ１９０：Ｎｏ）、ＦＭＤ４はステップＳ１７３、Ｓ１８２の前に戻る。
【０１２２】
以上説明した本発明の実施の形態３によれば、表示部１３上で外部からの接触による操作を行うことが可能な撮像装置６を操作する際に、人物の頭部に装着可能であり、装着した人物の目の近傍で画像を表示するＦＭＤ４が操作用のボタン画像を表示するとともに、撮像装置６の表示部１３に接触している物体の接触位置を重ねて表示するため、ユーザはＦＭＤ４を見ながら操作入力を行うことができる。したがって、ユーザは周囲の環境によらず大画面相当の画像を見ることができるだけでなく、優れた操作性も享受することができる。
【０１２３】
また、本実施の形態３によれば、２つの撮像装置６Ｌ、６Ｒを同時に撮影する際、ＦＭＤ４で各撮像装置６Ｌ、６Ｒが撮影する画像を見比べながら撮影することができるため、複数のアングルからの多様な画像を撮影することができる。
【０１２４】
（実施の形態４）
図３４は、本発明の実施の形態４に係る撮像システムの構成を示すブロック図である。同図に示す撮像システム４００は、２つの撮像装置７と、各撮像装置７と通信可能であり、撮像装置７が撮像する画像を含む情報を表示するＦＭＤ８とを備える。撮像システム４００は、２つの撮像装置７を用いた３Ｄ撮影を行う機能を有する。具体的には、２つの撮像装置７は、互いに通信可能であり、一方の撮像装置７で入力されたレリーズ信号に応じて他方の撮像装置７も撮影を行う連携撮影モードを設定可能である。
【０１２５】
撮像装置７は、撮像部１１、画像処理部１２、表示部１３、入力部１４、センサ部１５、時計１６、記憶部１７、制御部３１および撮像側通信部７１を備える。撮像側通信部７１は、ＦＭＤ８と通信可能であるとともに、他の撮像装置７とも通信可能である。
【０１２６】
ＦＭＤ８は、表示側通信部２１と、画像表示部８１と、記憶部８２と、制御部８３とを備える。記憶部８２は、ボタン画像記憶部２３１と、画像データを記憶する画像データ記憶部８２１とを有する。制御部８３は、照合部４１１と、２つの撮像装置７から送信されてくる露出演算結果の比較を行う比較部８３１と、２つの撮像装置７から送信されてくる撮影画像の画像データを比較して３Ｄ撮影が可能であるか否かを判定する３Ｄ判定部８３２とを有する。
【０１２７】
図３５は、ＦＭＤ８の外観構成および機能を示す図である。ＦＭＤ８の画像表示部８１は、右目側に設けられた右表示部８Ｒと、左目側に設けられた左表示部８Ｌとを有する。このうち、右表示部８Ｒは、シャッター８１１Ｒ、液晶表示部８１２Ｒおよび光学系８１３Ｒを有する。また、左表示部８Ｌは、シャッター８１１Ｌ、液晶表示部８１２Ｌおよび光学系８１３Ｌを有する。なお、液晶表示部８１２Ｒ、８１２Ｌは、液晶表示部２２２とそれぞれ同じ構成を有し、光学系８１３Ｒ、８１３Ｌは、光学系２２３とそれぞれ同じ構成を有する（図７を参照）。制御部８３は、右表示部８Ｒおよび左表示部８Ｌに接続されている。左表示部８Ｌは、フレーム８ｆに対して回転可能であり、撮影時には、図３５の下側の図に示すように、フレーム８ｆの上辺部分を回転軸として左表示部８Ｌを上方へ回転して持ち上げた状態で固定することにより、左目が外部を直接見ることができるようになっている。
【０１２８】
図３６は、２つの撮像装置７が連携撮影モードに設定されている場合に液晶表示部８１２Ｒが最初に表示する初期画像の表示例を示す図である。図３６においては、ユーザの指が表示部１３Ｒ、１３Ｌに接触していないものとする。図３６に示す状態で、液晶表示部８１２Ｒは、撮影用ボタンとして表示ボタンＳＩ−Ｒ２およびＳＩ−Ｌ２を画面上で左右対称な位置にスーパーインポーズする。
【０１２９】
図３７は、ユーザが２つの撮像装置７をそれぞれ構えた状態で液晶表示部８１２Ｒが表示する画面の表示例を示す図である。図３７に示す場合、ユーザが左手で構えている撮像装置７では、左指位置表示画像ｆLが表示ボタンＳＩ−Ｌ２と重なっているため、左スルー画像８１２ＲＬが表示されている。これに対し、ユーザが右手で構えている撮像装置７では、右指位置表示画像ｆRは、表示ボタンＳＩ−Ｒ２と重なっていないため、右スルー画像は表示されていない。
【０１３０】
図３７に示す状態から右指を動かすことによって右指位置表示画像ｆRが表示ボタンＳＩ−Ｒ２の位置に合わせると、液晶表示部８１２Ｒは右スルー画像８１２ＲＲも表示する。液晶表示部８１２Ｒが左スルー画像８１２ＲＬおよび右スルー画像８１２ＲＲを表示した場合、比較部８３１は、左スルー画像８１２ＲＬおよび右スルー画像８１２ＲＲが３Ｄ画像に適しているか否かを判定する。この判定の結果、左スルー画像８１２ＲＬおよび右スルー画像８１２ＲＲが３Ｄ画像に適している場合、液晶表示部８１２Ｒは、画面の中央部下部に「３ＤＯＫ」というメッセージを表示する。図３８は、液晶表示部８１２Ｒが、２つのスルー画像とともに「３ＤＯＫ」というメッセージを表示した状態を示す図である。
【０１３１】
図３９は、撮像装置７が連携撮影モードに設定されている場合の処理の概要を示すフローチャートである。センサ部１５が撮像装置７の姿勢を検出した結果、撮像装置７が撮影可能状態にある場合（ステップＳ２０１：Ｙｅｓ）、撮像装置７はシャッターを閉じる制御信号をＦＭＤ８へ送信する（ステップＳ２０２）。続いて、撮像装置７は、露出演算（ステップＳ２０３）とピント調整（ステップＳ２０４）を行う。その後、撮像装置７は、露出演算結果をＦＭＤ８へ送信する（ステップＳ２０５）。
【０１３２】
露出演算結果を送信後、所定時間以内にＦＭＤ８から露出制御信号を受信した場合（ステップＳ２０６：Ｙｅｓ）、撮像装置７は受信した露出制御信号に基づいて露出を修正する（ステップＳ２０７）。一方、露出演算結果を送信後、所定時間以内にＦＭＤ８から露出制御信号を受信しなかった場合（ステップＳ２０６：Ｎｏ）、撮像装置７は後述するステップＳ２０８へ移行する。
【０１３３】
ステップＳ２０８において、接触位置検出部１９１が表示部１３に接触する指等の物体およびその物体の接触位置を検出した場合（ステップＳ２０８：Ｙｅｓ）、撮像装置７は物体の接触位置情報およびスルー画像の画像データをＦＭＤ８へ送信する（ステップＳ２０９）。一方、接触位置検出部１９１が表示部１３に接触する指等の物体の位置を検出しなかった場合（ステップＳ２０８：Ｎｏ）、撮像装置７は後述するステップＳ２１０へ移行する。
【０１３４】
ステップＳ２１０において、レリーズボタン１４ａが押された場合（ステップＳ２１０：Ｙｅｓ）、撮像装置７はレリーズ信号を他の撮像装置７へ送信する（ステップＳ２１１）。その後、撮像装置７は画像を撮影（ステップＳ２１２）した後、撮影した画像を画像データ記憶部１７１へ記録する（ステップＳ２１３）とともに、ＦＭＤ８へ送信する（ステップＳ２１４）。
【０１３５】
ステップＳ２１４の後、所定時間以内に入力部１４によって撮影終了信号が入力された場合（ステップＳ２１６：Ｙｅｓ）、撮像装置７はシャッター８１１Ｒを開く制御信号をＦＭＤ８へ送信し（ステップＳ２１７）、一連の処理を終了する。一方、ステップＳ２１４の後、所定時間以内に入力部１４によって撮影終了信号が入力されない場合（ステップＳ２１６：Ｎｏ）、撮像装置７はステップＳ２０１へ戻る。
【０１３６】
ステップＳ２１０において、レリーズボタン１４ａが押されなかった場合（ステップＳ２１０：Ｎｏ）、他の撮像装置７からレリーズ信号を受信したとき（ステップＳ２１５：Ｙｅｓ）、撮像装置７はステップＳ２１２へ移行する。
【０１３７】
ステップＳ２０１において撮像装置７が撮影可能状態にない場合（ステップＳ２０１：Ｎｏ）、およびステップＳ２１５において他の撮像装置からレリーズ信号を受信しなかった場合（ステップＳ２１５：Ｎｏ）、撮像装置７はステップＳ２１６へ移行する。
【０１３８】
図４０は、ＦＭＤ８の処理の概要を示すフローチャートである。以下の説明では、ＦＭＤ８の電源がオンになっているものとする。ＦＭＤ８は、２つの撮像装置７からシャッター８１１Ｒ、８１１Ｌを閉じる制御信号を受信した場合（ステップＳ２２１：Ｙｅｓ）、シャッター８１１Ｒ、８１１Ｌを閉じ（ステップＳ２２２）、図３６に示すように表示ボタンＳＩ−Ｒ１、ＳＩ−Ｒ２を表示する（ステップＳ２２３）。一方、２つの撮像装置７からシャッター８１１Ｒ、８１１Ｌを閉じる制御信号を受信しない場合（ステップＳ２２１：Ｎｏ）、ＦＭＤ８はステップＳ２２１を繰り返す。
【０１３９】
その後、２つの撮像装置７から露出演算結果を受信した場合（ステップＳ２２４：Ｙｅｓ）、比較部８３１は２つの露出演算結果を比較する（ステップＳ２２５）。続いて、ＦＭＤ８は、露出演算結果に基づいて生成した露出制御信号を２つの撮像装置７へ送信する（ステップＳ２２６）。
【０１４０】
続いて、２つの撮像装置７からスルー画像の画像データおよび物体の接触位置情報を受信した場合（ステップＳ２２７：Ｙｅｓ）、物体の接触位置、この接触位置（指位置表示画像）と表示ボタンとが重なっている側のスルー画像を表示ボタンＳＩ−Ｒ１、ＳＩ−Ｒ２と重ねて表示する（ステップＳ２２８）。例えば、左側の撮像装置７のみにおいて接触位置と表示ボタンとが重なっている場合、図３７に示すような画像が表示される。
【０１４１】
ステップＳ２２８によって２つのスルー画像が表示された場合（ステップＳ２２９：Ｙｅｓ）、３Ｄ判定部８３２は２つのスルー画像を比較することによって３Ｄ撮影が可能であるか否かを判定する（ステップＳ２３０）。判定の結果、２つのスルー画像が３Ｄ撮影を行う条件を満たしている場合（ステップＳ２３１：Ｙｅｓ）、液晶表示部８１２ＲはＯＫ表示を表示する（ステップＳ２３２）。
【０１４２】
ステップＳ２２８によって２つのスルー画像の少なくとも一方が表示されなかった場合（ステップＳ２２９：Ｎｏ）、ステップＳ２２８を開始してから所定時間が経過していれば（ステップＳ２３３：Ｙｅｓ）、撮像装置７はステップＳ２２４へ戻る。他方、ステップＳ２２８を開始してから所定時間が経過していなければ（ステップＳ２３３：Ｎｏ）、撮像装置７はステップＳ２２８へ戻る。
【０１４３】
ステップＳ２３２に続いて、２つの撮像装置７から撮影画像の画像データを受信した場合（ステップＳ２３４：Ｙｅｓ）、液晶表示部８１２Ｒは受信した撮影画像を表示し（ステップＳ２３５）、受信した撮影画像の画像データを画像データ記憶部８２１へ記録する（ステップＳ２３６）。
【０１４４】
その後、２つの撮像装置７からシャッター８１１Ｒ、８１１Ｌを開く制御信号を受信した場合（ステップＳ２３７：Ｙｅｓ）、ＦＭＤ８はシャッター８１１Ｒ、８１１Ｌを開き（ステップＳ２３８）、一連の処理を終了する。一方、２つの撮像装置７の少なくとも一方からシャッター８１１Ｒ、８１１Ｌを開く制御信号を受信しない場合（ステップＳ２３７：Ｎｏ）、ＦＭＤ８はステップＳ２２４へ戻る。
【０１４５】
ステップＳ２３０で３Ｄ判定部８３２が判定した結果、２つのスルー画像の少なくとも一方が３Ｄ撮影を行うための条件を満たしていない場合（ステップＳ２３１：Ｎｏ）、液晶表示部８１２Ｒはエラー表示を行う（ステップＳ２３９）。その後、撮像装置７はステップＳ２３７へ移行する。
【０１４６】
ステップＳ２３４で２つの撮像装置７の少なくとも一方から撮影画像の画像データを受信しない場合（ステップＳ２３４：Ｎｏ）、撮像装置７はステップＳ２３７へ移行する。
【０１４７】
次に、２つの撮像装置７から露出演算結果を受信しなかった場合（ステップＳ２２４：Ｎｏ）を説明する。この場合において、いずれかの撮像装置７から再生画像表示要求を受信したとき（ステップＳ２４０：Ｙｅｓ）、ＦＭＤ８は、記憶部８２が記憶する一対の画像データを読み出し、各々対応する液晶表示部８１２Ｒ、８１２Ｌで個別に表示する（ステップＳ２４１）。この際、ユーザは、ＦＭＤ８の状態を図３５の上側の図に示す状態、すなわち右表示部８Ｒおよび左表示部８Ｌが右目および左目の前にそれぞれ位置する状態にする。これにより、ユーザは両目でそれぞれ別な画像を見ることができ、３Ｄ表示を体感することができる。
【０１４８】
これに対し、いずれかの撮像装置７から再生画像表示要求を受信しないとき（ステップＳ２４０：Ｎｏ）、ＦＭＤ８はステップＳ２３７へ移行する。
【０１４９】
以上説明した本発明の実施の形態４によれば、表示部１３上で外部からの接触による操作を行うことが可能な撮像装置７を操作する際に、人物の頭部に装着可能であり、装着した人物の目の近傍で画像を表示するＦＭＤ８が操作用のボタン画像を表示するとともに、撮像装置７の表示部１３に接触している物体の接触位置を重ねて表示するため、ユーザはＦＭＤ８を見ながら操作入力を行うことができる。したがって、ユーザは周囲の環境によらず大画面相当の画像を見ることができるだけでなく、優れた操作性も享受することができる。
【０１５０】
また、本実施の形態４によれば、２つの撮像装置７を用いた３Ｄ撮影をＦＭＤ８の表示にしたがって容易にかつ確実に行うことができる。
【０１５１】
（その他の実施の形態）
ここまで、本発明を実施するための形態を詳述してきたが、本発明は、上述した４つの実施の形態によってのみ限定されるべきものではない。例えば、本発明に係る撮像装置は、上述した光センサ内蔵型の表示部を備える代わりに、従来から知られている液晶、有機ＥＬ、プラズマ等を用いた表示部に、透明抵抗膜等を用いて実現されるタッチパネルを積層した構成とすることも可能である。
【符号の説明】
【０１５２】
１、３、５、６、６Ｌ、６Ｒ、７  撮像装置
２、４、８  ＦＭＤ
８ｆ  フレーム
８Ｒ  右表示部
８Ｌ  左表示部
１１  撮像部
１２  画像処理部
１３、１３Ｌ、１３Ｒ  表示部
１４  入力部
１４ａ  レリーズボタン
１５  センサ部
１６  時計
１７、２３、８２  記憶部
１８、７１  撮像側通信部
１９、２４、３１、４１、５１、６１、８３  制御部
２１  表示側通信部
２２、８１  画像表示部
１００、２００、３００、４００  撮像システム
１３１  液晶部
１３２  バックライト
１３３  光センサ
１７１、８２１  画像データ記憶部
１７２  プログラム記憶部
１９１  接触位置検出部
１９２  操作判定部
１９３、４１１  照合部
２２１、８１１Ｌ、８１１Ｒ  シャッター
２２２、８１２Ｌ、８１２Ｒ  液晶表示部
２２２ａ、２２２Ｌ、２２２Ｒ  スルー画像
２２２ｂ、ｆL、ｆR  指位置表示画像
２２２ｃ、２２２ｄ、２２２ｅ  再生画像
２２３、８１３Ｌ、８１３Ｒ  光学系
２２３ａ  自由曲面プリズム
２２３ｂ  ハーフミラーコート
２２３ｃ  補正プリズム
２３１  ボタン画像記憶部
５１１  タッチレベル判定部
６１１  縦横判定部
８１２ＲＬ  左スルー画像
８１２ＲＲ  右スルー画像
８３１  比較部
８３２  ３Ｄ判定部
【図１】
2010263324.tif 000003
【図２】
2010263324.tif 000004
【図３】
2010263324.tif 000005
【図４】
2010263324.tif 000006
【図５】
2010263324.tif 000007
【図６】
2010263324.tif 000008
【図７】
2010263324.tif 000009
【図８】
2010263324.tif 000010
【図９】
2010263324.tif 000011
【図１０】
2010263324.tif 000012
【図１１】
2010263324.tif 000013
【図１２】
2010263324.tif 000014
【図１３】
2010263324.tif 000015
【図１４】
2010263324.tif 000016
【図１５】
2010263324.tif 000017
【図１６】
2010263324.tif 000018
【図１７】
2010263324.tif 000019
【図１８】
2010263324.tif 000020
【図１９】
2010263324.tif 000021
【図２０】
2010263324.tif 000022
【図２１】
2010263324.tif 000023
【図２２】
2010263324.tif 000024
【図２３】
2010263324.tif 000025
【図２４】
2010263324.tif 000026
【図２５】
2010263324.tif 000027
【図２６】
2010263324.tif 000028
【図２７】
2010263324.tif 000029
【図２８】
2010263324.tif 000030
【図２９】
2010263324.tif 000031
【図３０】
2010263324.tif 000032
【図３１】
2010263324.tif 000033
【図３２】
2010263324.tif 000034
【図３３】
2010263324.tif 000035
【図３４】
2010263324.tif 000036
【図３５】
2010263324.tif 000037
【図３６】
2010263324.tif 000038
【図３７】
2010263324.tif 000039
【図３８】
2010263324.tif 000040
【図３９】
2010263324.tif 000041
【図４０】
2010263324.tif 000042